(57)【特許請求の範囲】
【請求項１】
基盤台と書籍受け用ボードを有してなる書見台であって、前記基盤台と前記書籍受け用ボードを別体に構成するとともに、前記基盤台は、矩形の板状に形成し、裏側となる下面に滑り止めを設け、かつ表側となる上面における前後の位置に、矩形の板状に形成した高さの高い第一の支柱及びこの第一の支柱よりも高さの低い第二の支柱をそれぞれ設け、さらに、前記第一の支柱の内側に取っ手を設け、他方、前記書籍受け用ボードは、矩形の板状に形成するとともに、Ｂ４サイズ，Ｂ５サイズ，Ａ４サイズ又はＡ５サイズの大きさに形成し、表側の下部に書籍固定用支え板を設け、かつ裏側の下部に滑り止めを設け、さらに、左端と右端に読書用クリップをそれぞれ設けてなることを特徴とする書見台。
【発明の詳細な説明】
【技術分野】
【０００１】
本発明は、書籍のサイズに対応した書籍受け用ボードを備え付けた書見台に関するものである。
【背景技術】
【０００２】
従来、書見台としては、特許文献１で開示される書見台及び特許文献２で開示される書見台が知られている。
【０００３】
特許文献１で開示される書見台は、書籍の傾斜角度調整機構を使用して構成したものである。また、特許文献２で開示される書見台は、機構が簡単であり、ページ捲りか容易にできるものであり、文字を隠すことなく確実にページを固定できる、読書用クリップ、および、書籍固定バーを用いるとともに、さらに、様々なサイズの書籍に対応するロック機能付きの伸縮型の書見台として構成したものである。
【先行技術文献】
【特許文献】
【０００４】
【特許文献１】登録実用新案第３１５００１０公報
【特許文献２】特開２００８−２７３１６５号公報
【発明の概要】
【発明が解決しようとする課題】
【０００５】
しかし、上述した特許文献１及び２における従来の書見台は、次のような問題点があった。
【０００６】
第一に、台板に複数の角度調整ピンを設けなければならないとともに、傾斜角度を調整するには、複数の角度調整ピンの中から適当な一つを選ぶ必要があり、手間がかかるし面倒であった。
【０００７】
第二に、読書クリップ上部に頁を完全に固定することなく保持する隙間を設ける工作をするため、読書クリップの製造コストと手間がかかっていた。また、読書クリップの上部に設けてある隙間に、ページを差し込む手間がかかるし、面倒であった。さらに、読書クリップの隙間に差し込んだページがなくなると新たにページを差し込む手間がかかるし、面倒であった。
【０００８】
第三に、書籍のページを開いた状態で机などの上に置く場合は、クリップ付き固定バーが必要であり、クリップ付き固定バーの製造コストがかかっていた。また、様々なサイズの書籍に対応するには、ロック機能付きの伸縮型ベースバーが必要あった。因ってベースバーの構造が複雑であり製造コストと手間がかかっていた。
【０００９】
本発明は、このような背景技術に存在する課題を解決した書見台の提供を目的とするものである。
【課題を解決するための手段】
【００１０】
本発明は、上述した課題を解決するため、基盤台１と書籍受け用ボード６を有してなる書見台であって、基盤台１と書籍受け用ボード６を別体に構成するとともに、基盤台１は、矩形の板状に形成し、裏側となる下面に滑り止め２を設け、かつ表側となる上面における前後の位置に、矩形の板状に形成した高さの高い第一の支柱３及びこの第一の支柱３よりも高さの低い第二の支柱４をそれぞれ設け、さらに、第一の支柱３の内側に取っ手５を設け、他方、書籍受け用ボード６は、矩形の板状に形成するとともに、Ｂ４サイズ，Ｂ５サイズ，Ａ４サイズ又はＡ５サイズの大きさに形成し、表側の下部に書籍固定用支え板７を設け、かつ裏側の下部に滑り止め８，９を設け、さらに、左端と右端に読書用クリップ１０，１１をそれぞれ設けてなることを特徴とする。
【発明の効果】
【００１１】
このように構成する本発明に係る書見台によれば、次のような顕著な効果を奏する。
【００１２】
（１）  書籍を極めて短時間で簡単に、読者好みの傾科角度に調整できる。即ち、簡単に書籍を読書がしやすい状態の傾斜角度に、自由自在に調整ができる。
【００１３】
（２）  ページの固定を安定に保持し、ページ捲りは、読書用クリップ１０，１１の開閉と手により、約４秒以内で簡単にできる。また、読書用クリップ１０，１１が原因で、書籍の文字が隠れた場合は、読書用クリップ１０，１１を開いて移動し、適当な場所で読書用クリップ１０，１１を閉じてページを固定することができ、この作業は、約２秒以内でできる。しかも、書籍を机の上などに、ページを開いて置く場合は、読書クリップ付き書籍バーが必要ない。図７に示すように、読書用クリップ１０，１１と書籍受け用ボード６で対応できる。
【００１４】
（３）  読書用クリップ１０，１１は、市販の洗濯用バサミを活用できるので、コストが安くできる。また、書見台の移動、持ち運びは、取っ手５を持って簡単にできる。さらに、両手が自由になり、メモしたり飲食しながら読書したり、携帯電話なども書籍のぺージを固定した状態でできる。加えて、ページ捲りも容易にでき、書籍のサイズに対応した書籍受け用ボード６を備え付けることができる。
【図面の簡単な説明】
【００１５】
【図１】本発明の書見台の斜視図である。
【図２】本発明の書見台の斜視図である。
【図３】本発明の書見台の側面図である。
【図４】書籍受け用ボードの正面図である。
【図５】書見台の支柱に書籍受け用ボードを装着した状態を示した側面図である。
【図６】書見台の支柱に書籍受け用ボードを装着した状態を示した側面図である。
【図７】書籍のページを読書受け用ボードに固定した状態を示した正面図である。
【図８】書見台の支柱に書籍受け用ボードを装着した状態を示した斜視図である。
【図９】書見台の支柱に書籍受け用ボードを装着した状態を示した斜視図である。
【図１０】書籍のページを固定した実施の状態を示した側面図である。
【図１１】書籍のページを固定した実施の状態を示した側面図である。
【図１２】書籍のページを固定した実施の状態を示した斜視図である。
【図１３】書籍のページを固定した実施の状態を示した斜視図である。
【発明を実施するための形態】
【００１６】
次に、本発明に係る好適実施形態を挙げ、図面に基づき詳細に説明する。
【００１７】
まず、本実施形態に係る書見台の構成について、図１〜図９を参照して具体的に説明する。
【００１８】
本実施形態に係る書見台は、基本的な構成として、別体に構成した基盤台１と書籍受け用ボード６を備えてなる。基盤台１は、図１及び図２に示すように、矩形の板状に形成し、この基盤台１の裏側となる下面には、滑り止め２を設ける。他方、基盤台１の表側となる上面における前後の位置には、図３に示すように、矩形の板状に形成した高さの高い第一の支柱３と、矩形の板状に形成し、かつ第一の支柱３よりも高さの低い第二の支柱４とをそれぞれ１個ずつ設ける。
【００１９】
また、第一の支柱３の内側には、取っ手５を設ける。これにより、書見台の移動、持ち運びは、取っ手５を持って簡単にできる。
【００２０】
他方、書籍受け用ボード６は、図４及び図５に示すように、矩形の板状に形成するとともに、形状及びサイズは、Ｂ４サイズ，Ｂ５サイズ，Ａ４サイズ又はＡ５サイズにより形成する。したがって、使用する際には、書籍の大きさに対応した書籍受け用ボード６を用いることができる。
【００２１】
そして、図４に示すように、書籍受け用ボード６の表側の下部には、書籍固定用支え板７を設けるとともに、書籍受け用ボード６の表側の下部における左側と右側には、それぞれ滑り止め８，９を設ける。また、書籍受け用ボード６の図４中、左端には読書用クリップ１０を設け、かつ右端には読書用クリップ１１を設ける。読書用クリップ１０，１１により書籍を開いたページを固定することができる。読書用クリップ１０，１１には、市販の洗濯用バサミを活用できる。これにより、コストを安くできる。以上が、本実施形態に係る書見台の構成となる。
【００２２】
次に、本実施形態に係る書見台の使用方法について、図１０〜図１３を参照して説明する。
【００２３】
まず、書籍１２の大きさに対応した書籍受け用ボード６を決める。書籍受け用ボード６は、前述したＢ４サイズ，Ｂ５サイズ，Ａ４サイズ又はＡ５サイズから選択できる。これにより、書籍１２のサイズに対応した書籍受け用ボード６を備え付けることができる。したがって、ページ捲りも容易にできる。
【００２４】
そして、図７に示すように、書籍１２をページを開いた状態で、書籍受け用ボード６に設けてある書籍固定用支え板７の上側に設置し、開いた状態の書籍１２の左端を読書用クリップ１０により固定するとともに、開いた状態の書籍１２の右端を読書用クリップ１１により固定する。
【００２５】
この後、書籍１２を設置した図７に示す書籍受け用ボード６の裏側を高い第一の支柱３又は低い第二の支柱４の何れかの上部直線上に装着する。高い第一の支柱３に書籍受け用ボード６を装着した状態を図１０及び図１２にそれぞれ示すとともに、低い第二の支柱４に書籍受け用ボード６を装着した状態を図１１及び図１３にそれぞれ示す。この際、読者好みの書籍１２の傾斜角度を調整するには、基盤台１或いは書籍受け用ボード６を前後左右にスライドすれば極めて簡単に行うことができる。
【００２６】
一方、書籍１２のページを捲るには、捲る側の読書用クリップ１０（又は読書用クリップ１１）を開いてページを捲り、捲った側の読書クリップ１０（又は読書用クリップ１１）を閉じて捲った側のページを固定する。次いで、捲ったページの反対側の読書用クリップ１１（又は読書用クリップ１０）を開き、捲ったぺージを読書用クリップ１１（又は読書用クリップ１０）の隙間に差し込むとともに、読書用クリップ１１（又は読書用クリップ１０）を閉じて捲ったページを固定する。この作業は、極めて簡単に短時間で、約４秒以内でできる。
【００２７】
他方、ページの文字が読書用クリップ１０（又は読書用クリップ１１）の原因により隠れた場合は、読書用クリップ１０（又は読書用クリップ１１）を開き、読書用クリップ１０（又は読書用クリップ１１）を移動した後、適当な場所で読書用クリップ１０（又は読書用クリップ１１）を閉じてページを固定する。この作業は、極めて短時間で、約２秒以内でできる。
【００２８】
また、本実施形態に係る書見台は、書籍を机の上などに、ページを開いて置く場合は、読書クリップ付き書籍バーの必要がなく、図７に示すように、読書用クリップ１０，１１と書籍受け用ボード６で対応できる。
【００２９】
さらに、本実施形態に係る書見台は、両手が自由になり、メモしたり飲食しながら読書したり、携帯電話なども書籍のぺージを固定した状態でできる。
【００３０】
このように、本実施形態に係る書見台によれば、書籍１２を極めて短時間で簡単に、読者好みの傾科角度に調整できる。即ち、簡単に書籍を読書がしやすい状態の傾斜角度に、自由自在に調整ができる。しかも、ページの固定を安定に保持し、ページ捲りは、読書用クリップ１０，１１の開閉と手により、上述した約４秒以内で簡単にできる。また、読書用クリップ１０，１１が原因で、書籍の文字が隠れた場合は、読書用クリップ１０，１１を開いて移動し、適当な場所で読書用クリップ１０，１１を閉じてページを固定することができ、この作業は、前述した約２秒以内でできる。
【産業上の利用可能性】
【００３１】
本発明に係る書見台は、読書の際に利用できるとともに、特に、書籍を短時間で簡単に、読者好みの傾科角度に調整し、ページの固定を安定に保持する際に利用できる。
【符号の説明】
【００３２】
１：基盤台，２：滑り止め，３：第一の支柱，４：第二の支柱，５：取っ手，６：書籍受け用ボード，７：書籍固定用支え板，８：滑り止め，９：滑り止め，１０：読書用クリップ，１１：読書用クリップ
【要約】
【課題】  本発明は、簡単に書籍を読書がしやすい状態の傾斜角度に自由自在に調整ができて、書籍のページの固定を安定に保持し、ページ捲りも容易にでき、書籍のサイズに対応した書籍受け用ボードを備え付けた書見台を提供する。
【解決手段】  基盤台（１）の裏側に滑り止め（２）を設け、基盤台（１）の表側に支柱（３）、支柱（４）を、支柱（３）の内側に取っ手（５）を設け、書籍受け用ボード（６）の表側の下部に書籍固定用支え板（７）を設け、書籍受け用ボード（６）の裏側の下部に滑り止め（８）、滑り止め（９）を設け、書籍受け用ボード（６）の左端と右端に読書用クリップ（１０）と、読書用クリップ（１１）を設けたことを特徴とする書籍受け用ボードを備え付けた書見台。
【選択図】図８【図１】
0005249446.tif 000002
【図２】
0005249446.tif 000003
【図３】
0005249446.tif 000004
【図４】
0005249446.tif 000005
【図５】
0005249446.tif 000006
【図６】
0005249446.tif 000007
【図７】
0005249446.tif 000008
【図８】
0005249446.tif 000009
【図９】
0005249446.tif 000010
【図１０】
0005249446.tif 000011
【図１１】
0005249446.tif 000012
【図１２】
0005249446.tif 000013
【図１３】
0005249446.tif 000014